(57)【要約】      （修正有）【課題】デイパック背面と背中、肩かけベルトと肩との密着により汗をかき、Ｔシャツが濡れるなど不快感を防ぐデイパック用空間保持装置、デイパック及びデイパック用背中パットを提供する。【解決手段】パットからなるデイパック用空間保持装置において、パットに、デイパックと身体との間の空間を確保するための突起部を備えたことを特徴とする。また、背中面にメッシュが縫い付けられ、上下端及び中段にファスナーが設けられたデイパックにおいて、デイパックと身体との間の空間を確保するための突起を備えた背中パットを、ファスナー部よりメッシュ内に挿入したことを特徴とする。さらに、ゴム付き幅広ベルトを備えたデイパック用背中パットであって、前記背中パットは、デイパックと身体との間の空間を確保するための突起部を備える。【選択図】図１
0003183693.tif 000002
【実用新案登録請求の範囲】
【請求項１】
デイパック使用時、特に暑い時期は背中や肩に汗をかき気持ち悪い。このため、汗かきの原因となる密着を防止し、この課題を解決するため、デイパックと背中面、肩との密着を防止し通気性確保の装置を考案。
両装置ともに、デイパックと身体との間の任意の位置に支持材を装着することにより、空間を確保するものである。
なお、本装置の支持材部（突起部）は背中、腰及び肩への指圧効果も期待できる。
【請求項２】
背中の空間保持装置を快適かつ適正に使用できるように、背中面に同装置を適正に固定できる専用デイパックを考案。
本デイパックは、背中面に強度のあるメッシュが縫い付けられており、上下端及び中断にファスナーがある。
ファスナーを開きその中へ背中パットを挿入し使用するものである。
また、本デイパックの他の機能として、任意のファスナー部より、上段、下段及び両方へ加温材や保冷材等を挿入することにより、冬季や夏季のデイパック使用の快適性の向上が確保可能である。
なお、背中の空間保持装置は、ゴム付き幅広ベルトの使用により、専用デイパックでなくても一般的なデイパックへの使用にも対応できる。
【考案の詳細な説明】
【技術分野】
【０００１】
本考案は、デイパックの使用時の快適性を向上するものである
【先行技術文献】
【非特許文献】
【０００２】
【非特許文献１】なし
【考案の概要】
【考案が解決しようとする課題】
【０００３】
夏季等暑い時期のデイパックの使用は、背中に汗をかきTシャツなど衣類が汗で背中に貼りつくなど不快な状況が生じる。また、近年は環境保全の気運の高揚及び健康志向により、自転車の使用が多くなってきている。自転車の使用時はデイパックを使用することが多く、自転車をこぐことにより、より汗をかき背中が汗でびしょ濡れになることが多々ある。本考案は、これらの課題を解決するものである。なお、肩かけ部についても同様の主旨に基づく考案を行うものである。
また、専用デイパックは背中面へ、必要により寒い時期は保温、加温材を、暑い時期は保冷材等を装着することにより、通年の使用の快適性の向上を図るものである。
【課題を解決するための手段】
【０００４】
本考案は、図１のとおり背中及び肩に本考案のパットを挿入することにより、汗かきの原因となる密着を防止し、通気の確保により、その課題を解決するものである。
本考案は、図２に示す専用デイパックと図３に示す関連パーツである背中パット、肩パットよりなる。図４のとおり図2の専用デイパックへ図3の関連パーツを装着し使用する。なお、両パットは脱着式のため不要時は取り外し可能である。また、背中パットの、既に所持するデイパックへの使用には図５のとおり、ゴム付き幅広ベルトにより肩かけ、及び胸かけ等によりパットを固定し使用可能である。
また、専用デイパックの場合、図６のとおり専用デイパックの背面メッシュ部へ、寒い時期はフリース素材、発汗発熱素材、加温材等を、また暑い時期は保冷材等を入れることにより、快適性の向上が可能となる。
【考案の効果】
【０００５】
デイパック使用時、とりわけ夏場及び自転車運転時の背中や肩の汗かきを防止し、快適なデイパックの使用が可能となる。また、空間確保のための支持材は、背中や腰の指圧効果も期待できる。なお、使用状況等により両パッドは簡単に取り外しが可能である。また本考案の専用デイパックであれば背中面の寒い時期の保温、加温、及び必要により暑い時期の冷却が可能となり、年間を通じ快適なデイパックの使用が可能となる。
【図面の簡単な説明】
【０００６】
【図１】本考案は、専用デイパックの背中及び肩に本考案の背中パット及び肩パットを挿入することにより、汗かきの原因となる密着を防止し、通気の確保により、その課題を解決するものである。なお、パットに付随する支持材は肩、背中、腰の指圧効果もあり併せて快適性を向上するものである。
【図２】専用デイパックは、背面に強度のあるメッシュが縫い付けられている。メッシュ上下端及び中段部にはファスナーによる開閉部があり、図３に示す汗かき対策関連パーツや、寒さ対策の保温加温材、暑さ対策の保冷材等の挿入が可能な構造となっている
【図３】背中パットは、デイパック背面よりやや小さい大きさの約４ｃｍピッチのねじ穴のついたプラスティク板と約直径４ｃｍ高さ５ｃｍの円錐形のねじ付きの支持材からなる。使用時は、自分の背中面に合わせ、プラスティク板の任意の４点に支持材をねじ固定し使用する。肩パットは肩ベルトとほぼ同幅の約３ｃｍピッチにねじ穴の付いた軟質プラスティク板、直径３ｃｍの玉を半分に割った球状のねじ付きの支持材、そしてこれらを肩ベルトへ固定する固定ベルトよりなる。使用時は自分の肩に合わせ、軟質プラスティク板のねじ穴の任意の位置へ球状の支持材をねじ固定し、これを固定ベルトによりデイパックの肩ベルトへ固定し使用する。
【図４】メッシュ下端のファスナー部より背中パットプラスティク板を挿入しファスナーを閉じる。自分の体に合った好みの背中、腰等任意の４個へ支持材をメッシュを間に挟んでねじ固定すし使用する。肩パットも同様に、自分の体に合った場所に支持材をネジ固定し、デイパック肩ベルトの任意の箇所に、固定ベルトにより、固定し使用する。
【図５】専用デイパックでなく、既に所持するデイパックへ背中パッドを使用するには、４個の支持材を付けたプラスチック板の好みの任意のねじ穴と、ゴム付き幅広ベルトのフックを連結させ、肩かけ等により背中パットを背中に固定したうえで、所持済みのデイパックを背負い、効果を発現するものとする。
【図６】専用デイパックは背中面のメッシュ部は、ファスナーが上下端とその中段部にある。任意の位置に加温材・保冷材等を挿入し、使用することができる。
【図１】
0003183693.tif 000003
【図２】
0003183693.tif 000004
【図３】
0003183693.tif 000005
【図４】
0003183693.tif 000006
【図５】
0003183693.tif 000007
【図６】
0003183693.tif 000008
【手続補正書】
【提出日】平成25年3月16日(2013.3.16)
【手続補正１】
【補正対象書類名】実用新案登録請求の範囲
【補正対象項目名】全文
【補正方法】変更
【補正の内容】
【実用新案登録請求の範囲】
【請求項１】
パットからなるデイパック用空間保持装置において、前記パットに、デイパックと身体との間の空間を確保するための突起部を備えたことを特徴とするデイパック用空間保持装置。
【請求項２】
背中面にメッシュが縫い付けられ、上下端及び中段にファスナーが設けられたデイパックにおいて、デイパックと身体との間の空間を確保するための突起を備えた背中パットを、前記ファスナー部よりメッシュ内に挿入したことを特徴とするデイパック。
【請求項３】
ゴム付き幅広ベルトを備えたデイパック用背中パットであって、前記背中パットは、デイパックと身体との間の空間を確保するための突起部を備えたことを特徴とするデイパック用背中パット。